(57)【要約】【課題】腰の曲がった人でも背部を露出しないようにでき、かつズボンの前を弛まずにスッキリさせ、はきやすく、風邪ひきを防止できる介護ズボンとすること。【解決手段】左右一対の前身頃と左右一対の後身頃とを相互に縫合して構成され、左右大腿部の内側付け根間を腹部から背部にかけて覆う股ぐり部を備えた介護ズボンにおいて、  前身頃のウエストラインを、脇線側に対して股ぐり線側が１／４ウエストの８〜１４％低く、かつ脇線側が１／４ウエストの４〜１０％長くなるよう傾斜させ、後身頃のウエストラインを、脇線側に対して股ぐり線側が１／４ウエストの２２〜３１％高く、かつ脇線側が１／４ウエストの１２〜１９％長くなるよう傾斜させ、さらに後身頃の股ぐり部を非切り取り股ぐり部としてなる、腰の曲がった人の介護ズボン。【選択図】図２
2005133261.tif 000002
【特許請求の範囲】
【請求項１】
左右一対の前身頃と左右一対の後身頃とを相互に縫合して構成され、左右大腿部の内側付け根間を腹部から背部にかけて覆う股ぐり部を備えた介護ズボンにおいて、
前身頃のウエストラインを、脇線側に対して股ぐり線側が１／４ウエストの８〜１４％低く、かつ脇線側が１／４ウエストの４〜１０％長くなるよう傾斜させ、後身頃のウエストラインを、脇線側に対して股ぐり線側が１／４ウエストの２２〜３１％高く、かつ脇線側が１／４ウエストの１２〜１９％長くなるよう傾斜させ、さらに後身頃の股ぐり部を非切り取り股ぐり部としてなる、腰の曲がった人の介護ズボン。
【請求項２】
前身頃のヒップラインは、その股ぐり線側が１／４ウエストの８〜１４％短い請求項１に記載の介護ズボン。
【請求項３】
前身頃のウエストラインは、その脇線側に対して股ぐり線側が３〜５ｃｍ低く、かつ脇線側が１．５〜３．５ｃｍ長く、後身頃のウエストラインは、脇線側に対して股ぐり線側が８〜１１ｃｍ高く、かつ脇線側が４．５〜６．５ｃｍ長い請求項１または２に記載の介護ズボン。
【請求項４】
前身頃のヒップラインは、その股ぐり線側が３〜５ｃｍ短い請求項２または３に記載の介護ズボン。
【請求項５】
一本のリング状のゴム紐と、ズボンのウエストラインに沿って形成され、前記ゴム紐を挿通したゴム紐挿通部とを更に備えてなる請求項１〜４のいずれか一つに記載の介護ズボン。
【請求項６】
一対のリング状のゴム紐と、ズボンのウエストラインに沿って上・下に隣接して形成され、前記ゴム紐をそれぞれ挿通した上・下ゴム紐挿通部とを更に備えてなる請求項１〜４のいずれか一つに記載の介護ズボン。
【請求項７】
介護ズボンが、パンツ、スラックス、ズロース、ブリーフまたはもんぺである請求項１〜６のいずれか一つに記載の介護ズボン。
【発明の詳細な説明】
【技術分野】
【０００１】
本発明は、腰の曲がった人の介護ズボンに関し、さらに詳しくは、腰の曲がった人が着用したときに背中が露出しない介護ズボンに関するものである。
【背景技術】
【０００２】
通常のズボン（下衣）、つまりパンツ、スラックスまたはもんぺなどは、左右一対の前身頃と左右一対の後身頃とを相互に縫合して構成され、左右大腿部の内側付け根間を腹部から背部にかけて覆う股ぐり部を備えている。人が、このズボンを着用して、しゃがみこんだ時に、ズボンの背部上縁がでん部（臀部）側に下がり、シャツがズボンからはみ出たり、背中が露出するといった問題がある。
【０００３】
この問題を解決するために、左右でん部の頂点近傍を中心とする一対の円錐側面状膨出部を設けることにより、腰部乃至でん部を覆う部分の上下方向長さを増加させたズボン（下衣）が提案されている（特許文献１参照）。
【０００４】
そしてこの円錐側面状膨出部は、ズボンの後部側生地の股ぐり部上縁からでん部の頂点近傍に向けて略三角形状の切り欠き部分を設け、この切り欠き部分の縁を縫合することにより形成される。
【特許文献１】特開平１０−２３７７０７号公報
【発明の開示】
【発明が解決しようとする課題】
【０００５】
しかし、この円錐側面状膨出部は、ウエストラインから離れて下方に形成され、ウエストライン自体は通常のズボンと変わりなかった。したがって、このズボンは、腰の曲がった人が着用すると、ズボンの背部上縁がでん部側に下がり、シャツがズボンからはみ出たり、背中が露出するといった問題が依然としてあった。
【課題を解決するための手段】
【０００６】
本発明は、左右一対の前身頃と左右一対の後身頃とを相互に縫合して構成され、左右大腿部の内側付け根間を腹部から背部にかけて覆う股ぐり部を備えた介護ズボンにおいて、
前身頃のウエストラインを、脇線側に対して股ぐり線側が１／４ウエストの８〜１４％低く、かつ脇線側が１／４ウエストの４〜１０％長くなるよう傾斜させ、後身頃のウエストラインを、脇線側に対して股ぐり線側が１／４ウエストの２２〜３１％高く、かつ脇線側が１／４ウエストの１２〜１９％長くなるよう傾斜させ、さらに後身頃の股ぐり部を非切り取り股ぐり部としてなる、腰の曲がった人の介護ズボンを提供する。
【発明の効果】
【０００７】
本発明によれば、前身頃のウエストラインを、脇線側に対して股ぐり線側を低くすると共に脇線側を長くして傾斜させ、さらに後身頃のウエストラインを、脇線側に対して股ぐり線側を高くすると共に脇線側を長くして傾斜させ、かつ股ぐり部を非切り取り股ぐり部とする、つまり股ぐり部に切り欠き部分または切り取り部分を設けないことによって、腰の曲がった人でも背中を露出しないようにでき、かつズボンの前を弛ませずにスッキリさせ、はきやすく、風邪ひきを防止できる介護ズボンとすることができる。
【発明を実施するための最良の形態】
【０００８】
本発明に係る介護ズボンは、前身頃のウエストラインを、脇線側に対して股ぐり線側が１／４ウエスト（Ｗ）の８〜１４％低く、かつ脇線側が１／４ウエストの４〜１０％長くなるよう傾斜させ、後身頃のウエストラインを、脇線側に対して股ぐり線側が１／４ウエストの２２〜３１％高く、かつ脇線側が１／４ウエストの１２〜１９％長くなるよう傾斜させ、さらに後身頃の股ぐり部を非切り取り股ぐり部としてなることを特徴とする。
【０００９】
具体的には、平均的な体格の老人では、たとえば、前身頃のウエストライン（の寸法）は、脇線側に対して股ぐり線側が３〜５ｃｍ低く、かつ脇線側が１．５〜３．５ｃｍ長くなるよう傾斜させ、後身頃のウエストライン（の寸法）は、脇線側に対して股ぐり線側が８〜１１ｃｍ高く、かつ脇線側が４．５〜６．５ｃｍ長くなるよう傾斜させるのが好ましい。
本発明においては、後身頃の股ぐり部は、特に非切り取り股ぐり部とする。つまり股ぐり部には切り欠き部分または切り取り部分を設けないことが、腰の曲がった人でも背中を露出しないようにするために重要である。
【００１０】
本発明においては、前身頃のヒップラインの股ぐり線側を１／４ウエストの８〜１４％短くすると、腰の曲がった人が着用した場合に、腹部のたるみを防ぐことができるので好ましい。具体的には、例えば、前身頃のヒップラインは、その股ぐり線側を３〜５ｃｍ短くする。
【００１１】
本発明の介護ズボンにおいて、素材、つまり生地は、特に限定されず、従来から用いられているもの、たとえば、もめん、ウールなどを採用できるが、特に腰にコルセット、ひざにサポートなどを付けている人が多いことを考慮して、洗濯や乾燥の容易な、たとえば、ポリエステルなどの生地が、本人だけではなく介護する人の負担を軽減できるので好ましい。もちろん、伸縮可能な生地を採用することもできるが、本発明に係る介護ズボンは伸縮可能な生地を用いなくても十分対応できることも一つの特徴である。
【００１２】
本発明の介護ズボンは、一本のリング状のゴム紐と、ズボンのウエストラインに沿って形成され、前記ゴム紐を挿通したゴム紐挿通部とを更に備えてもよい。また、一対のリング状のゴム紐と、ズボンのウエストラインに沿って上・下に隣接して形成され、前記ゴム紐をそれぞれ挿通した上・下ゴム紐挿通部とを更に備えてもよい。
【実施例１】
【００１３】
図１は本発明に係る介護ズボンの実施の形態１を示す前身頃の裁断形状を説明する説明図、図２は同じく後身頃の裁断形状を説明する説明図である。
図３は腰の曲がった人が介護ズボンを着用した場合の状態を簡単に説明する説明斜視図であり、Ａが従来の介護ズボンを着用したとき、Ｂが実施の形態１の介護ズボンを着用したときをそれぞれ示す。
【００１４】
図１、２および３のＢにおいて、介護ズボン１は、左右一対の前身頃２と、左右一対の後身頃３とを相互に縫合して構成され、左右大腿部の内側付け根間を腹部から背部にかけて深く覆う股ぐり部４を備えている。
前身頃２は、そのウエストライン５を、脇線６側に対して股ぐり線７側を１／４ウエスト（Ｗ）（３６ｃｍ：１／４Ｈ＋１ｃｍ、ここでＨはヒップである）の約１１％、すなわちａ：４ｃｍ低くし、かつ脇線６側を１／４ウエストの約７％、すなわちｂ：２．５ｃｍ長くして傾斜させている。
後身頃３は、そのウエストライン８を、脇線９側に対して股ぐり線１０側を１／４ウエスト（３６ｃｍ：１／４Ｈ＋１ｃｍ、ここでＨはヒップである）の約２６％、すなわちｄ：９．５ｃｍ高くし、かつ脇線９側を１／４ウエストの約１５％、すなわちｅ：５．５ｃｍ長くして傾斜させている。さらに後身頃３は、その股ぐり部４を非切り取り股ぐり部とし、股ぐり部４には切り欠き部分または切り取り部分を設けていない。
なお、１１は、後身頃３のヒップラインであり、前身頃のヒップラインの股ぐり線１０側を１／４ウエストの約１１％、すなわちｃ：４ｃｍ短くしている。また、１２、１３は、介護ズボン１のウエストライン５・８上に沿って上・下に隣接してリング状に形成され、一対のリング状のゴム紐（図示省略）をそれぞれ挿通する上・下ゴム紐挿通部である。
【００１５】
かくして、介護ズボン１は、前身頃２のウエストライン５を、脇線６側に対して股ぐり線７側で低くすると共に脇線６側を長くして傾斜させ、さらに後身頃３のウエストライン８を、脇線９側に対して股ぐり線１０側を高くすると共に脇線９側を長くして傾斜させ、かつ後身頃３の股ぐり部４に、切り欠き部分や、切り取り部分を設けていないので、腰の曲がった人でも背中を露出しないようにでき、かつズボンの前を弛ませずにスッキリさせ、はきやすく、風邪ひきを防止できる。また、前身頃２のヒップライン１１の股ぐり線７側を短くしているので、さらにズボンの腹部のたるみを防ぐことができる。
【００１６】
従って、図３のＢに示すように、腰の曲がった人がその介護ズボン１を着用すると、股ぐり部が、介護ズボン１の腹部から背部にかけて曲がった腰に十分沿い、かつ覆うことができ、それによって背中を露出しないようにでき、かつズボンの前を弛ませずにスッキリさせ、はきやすく、風邪ひきを防止できる。なお、図３のＡに示すように、従来の介護ズボン１Ａを腰の曲がった人が着用すると、背中Ｓが露出しやすいわけである。
【産業上の利用可能性】
【００１７】
本発明の介護ズボンは、パンツ、スラックス，ズロース、ブリーフまたはもんぺに好適に採用できる。
【図面の簡単な説明】
【００１８】
【図１】本発明に係る介護ズボンの実施の形態１を示す前身頃の裁断形状を説明する説明図である。
【図２】同じく後身頃の裁断形状を説明する図１相当説明図である。
【図３】腰の曲がった人が実施の形態１の介護ズボンを着用した場合の説明斜視図であり、Ａが従来の介護ズボンを着用したとき、Ｂが実施の形態１の介護ズボンを着用したときを示す。
【符号の説明】
【００１９】
１    介護ズボン
２    前身頃
３    後身頃
４    股ぐり部
５    ウエストライン
６    脇線
７    股ぐり線
８    ウエストライン
９    脇線
１０  股ぐり線
１１  ヒップライン
１２  上ゴム紐挿通部
１３  下ゴム紐挿通部
【図１】
2005133261.tif 000003
【図２】
2005133261.tif 000004
【図３】
2005133261.tif 000005